【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
回転画像形成ドラムと、
第１の端および第２の端を有するトレイと、
前記回転画像形成ドラムに隣り合って配置された印字ヘッドであって、
複数の開口を含む前面板と結合点にて結合する下面を有する噴射積層体であって、前記複数の開口のうちの各開口が、前記回転画像形成ドラムの表面にインクを吐出するよう構成されたインクジェット吐出器を含み、前記前面板が、前記トレイの前記第１の端と前記トレイの前記第２の端との間の前記トレイの上部に配置され、前記インクジェット吐出器を通って除去されたインクが、重力により前記噴射積層体の前記前面板から、前記前面板と前記下面との間の前記結合点の周辺、及び前記噴射積層体の前記下面上へ流れ落ちることができるよう構成された噴射積層体と、
前記噴射積層体に作用可能に接続し、前記噴射積層体の前記下面の下を延在する熱伝導体であって、前記噴射積層体の前記下面と、前記トレイの前記第２の端との間に配置され、前記噴射積層体の前記下面からのインクを受けるように構成された熱伝導体と、
前記インクジェット吐出器と流体接続するインク容器を形成する容器収納部であって、前記容器収納部は、前記噴射積層体と前記トレイの前記第２の端との間に配置され、前記噴射積層体の前記下面及び前記熱伝導体の下を延在して、前記噴射積層体の前記下面及び前記熱伝導体からのインクを受けるよう構成された下部フランジを含み、前記下部フランジが湾曲を有し、前記湾曲により、前記噴射積層体及び前記熱伝導体から受けた前記インクが、前記トレイの前記第２の端に向かって流れ、前記トレイの前記第１の端と、前記トレイの前記第２の端との間で前記トレイ内に落ちることができる、容器収納部と、を含む、印字ヘッドと、
を備える印刷装置。
【請求項２】
前記噴射積層体が、
前記前面板と前記熱伝導体との間に配置される接着剤層であって、前記接着剤層は、前記噴射積層体の前記下面に作用可能に接続し、かつ前記噴射積層体の前記下面の下に延在する下面を含み、前記噴射積層体の前記下面及び前記熱伝導体の一部からインクを受け、前記インクを前記容器収納部の前記下部フランジに導くよう構成される接着剤層をさらに含む、請求項１に記載の印刷装置。
【請求項３】
前記噴射積層体、前記熱伝導体、および前記容器収納の下部フランジが、前記インクジェットから除去されたインクが、前記トレイ内に落ちる前に、前記前面板から前記容器収納部の前記下部フランジまで流れるための段状の流路を形成する、請求項１に記載の印刷装置。
【請求項４】
前記噴射積層体の前記下面、前記熱伝導体、および前記容器収納部の前記下部フランジのうちの少なくとも１つが、疎水性材料で被膜されている、請求項１に記載の印刷装置。
【請求項５】
前記トレイが、
前記容器収納部の前記下部フランジと前記インク容器との間に配置されて、インクが前記下部フランジと前記インク容器との間に溜まるのを防止するルーフをさらに含む、請求項１に記載の印刷装置。
【請求項６】
媒体ロール紙と、
第１の端および第２の端を有するトレイと、
前記媒体ロール紙に隣り合って配置される印字ヘッドであって、
複数の開口を含む前面板と結合点にて結合する下面を有する噴射積層体であって、前記複数の開口のうちの各開口が、それぞれ前記媒体ロール紙の表面インクを吐出するよう構成されたインクジェット吐出器を含み、前記前面板が、前記トレイの前記第１の端の上部に配置され、前記インクジェット吐出器を通って除去されたインクが、前記前面板と下面との間の前記結合点の周辺で、重力により前記前面板から前記噴射積層体の前記下面上へ流れ落ちることができるよう構成された噴射積層体と、
前記噴射積層体に作用可能に接続し、前記噴射積層体の前記下面の下を延在する熱伝導体であって、前記噴射積層体の前記下面と、前記トレイの前記第２の端との間に配置され、前記噴射積層体の前記下面からのインクを受けるように構成された熱伝導体と、
前記インクジェット吐出器と流体接続するインク容器を形成する容器収納部であって、前記容器収納部は、前記噴射積層体と前記トレイの前記第２の端との間に配置され、前記噴射積層体の前記下面の下を延在して、前記噴射積層体の前記下面及び前記熱伝導体からのインクを受けるよう構成された下部フランジを含み、前記下部フランジが湾曲を有し、前記湾曲により、前記噴射積層体から受けた前記インクが、前記トレイの前記第２の端に向かって流れ、前記トレイの前記第１の端と、前記トレイの前記第２の端との間の前記トレイ内に落ちることができる、容器収納部と、を含む印字ヘッドと、
を備える印刷装置。
【請求項７】
前記噴射積層体が、
前記噴射積層体と前記熱伝導体との間に配置される接着剤層であって、前記噴射積層体の前記下面に作用可能に接続し、前記噴射積層体の前記下面を延在する第２の下面を含み、前記噴射積層体の前記下面からインクを受け、前記インクを前記容器収納の前記下部フランジに導くよう構成された接着剤層をさらに含む、請求項６に記載の印刷装置。
【請求項８】
前記噴射積層体、前記熱伝導体、および前記容器収納部の下部フランジが、前記インクジェットから除去されたインクが、前記トレイ内に落ちる前に、前記前面板から前記容器収納部の前記下部フランジまで流れるための段状の流路を形成する、請求項６に記載の印刷装置。
【請求項９】
前記噴射積層体の前記下面、前記熱伝導体、および前記容器収納部の前記下部フランジのうちの少なくとも１つが、疎水性材料で被膜されている、請求項６に記載の印刷装置。
【請求項１０】
前記トレイが、
前記容器収納部の前記下部フランジと前記インク容器との間に配置されて、インクが前記下部フランジと前記インク容器との間に溜まるのを防止するルーフをさらに含む、請求項６に記載の印刷装置。
【手続補正２】
【補正対象書類名】明細書
【補正対象項目名】発明の名称
【補正方法】変更
【補正の内容】
【発明の名称】印刷装置
【手続補正３】
【補正対象書類名】明細書
【補正対象項目名】００１３
【補正方法】変更
【補正の内容】
【００１３】
図１には、インク回収システム１００が示され、このインク回収システム１００は、印字ヘッド１０４、回収トレイ２２０、およびインク再循環システム２４２を含む。印字ヘッド１０４は、画像形成ドラム２６０に隣り合って配置され、これにより印字ヘッド１０４内のインクジェットが、離型剤層で被覆された画像形成ドラム２６０の表面２６４にインクを吐出して、離型剤層の上に画像を形成することができる。インク回収トレイ２２０は、第１の端２２４、第２の端２２８、およびルーフ２３２を含む。トレイ２２０は、印字ヘッド１０４の真下に配置され、これにより、印字ヘッド１０４からのインクが、重力の作用により、下方に流れてトレイ２２０内に入ることができる。トレイ２２０の第１の端２２４は、印字ヘッド１０４の前面板を超えて画像形成ドラム２６０から所定の距離だけ延在し、トレイ２２０は、この画像形成ドラム２６０には干渉しない。
【手続補正４】
【補正対象書類名】明細書
【補正対象項目名】００２２
【補正方法】変更
【補正の内容】
【００２２】
図３には、連続直接プリンタ内で使用するためのインク回収システム３００が示され、この回収システム３００は、印字ヘッド３０４、回収トレイ４２０、およびインク再循環システム４４２を含む。印字ヘッド３０４は、連続媒体ロール紙４６０と、裏当部材４６８とに隣り合って配置され、この裏当部材により、張力を受けたロール紙４６０は、印字ヘッド３０４のインクジェットが媒体ロール紙４６０の表面４６４にインクを吐出して、ロール紙４６０の表面４６４上にインク画像を形成することができる位置に維持される。インク回収トレイ４２０は、第１の端４２４、第２の端４２８、およびルーフ４３２を含む。インク回収トレイ４２０は、印字ヘッド３０４の底部に取り付けられて、印字ヘッド３０４からのインクが、重力により下方に流れて、トレイ４２０に入れるようにする。トレイ４２０の第１の端４２４は、印字ヘッド３０４の前面板と、実質的に面一に揃えられて、トレイ４２０が、媒体ロール紙４６０に干渉することを防ぎ、第２の端４２８は、印字ヘッド３０４の背面と実質的に面一で揃えられる。図１の実施形態のトレイ４２０は、第１の端４２４から第２の端４２８に向かって傾斜してトレイ４２０内に回収されるインクがトレイ４２０の第２の端４２８に向かって流れることができるようにする。インク回収トレイ４２０の第２の端４２８は、少なくとも１つの開口を含んでトレイ４２０の第２の端４２８内のインクが、インク再循環システム４４２に流れ込むようにする。トレイ４２０のルーフ４３２は、トレイ４２０のフロアと、容器収納３８０との間に配置される。トレイのルーフ４３２は、シール部材４３６を含み、このシール部材４３６は、印字ヘッド３０４の幅を横切ってクロス処理方向に延在して、下部フランジ３８４を用いて、容器収納３８０を密封し、トレイ４２０の一部を囲んでインクが底部容器収納３８０の外側または下部フランジ３８４の上に溜まるのを防止する。